(57)【要約】      （修正有）【課題】車両や人の侵入、通行を禁止するバリケード、フェンス、防護柵等に設置されて、車両の乗用員や通行人に注意喚起を促すために用いられるパイプ材を提供する。【解決手段】透光性を有して、筒状体に形成されたパイプ材Ｘであって、筒中心線ａを中心とする半径Ｒの第１及び第２の外周円弧面３、４と、第１及び第２の外周平面５、６を備える。第１の外周円弧面３の両端点ｄ１、ｄ２を結ぶ弦γ、及び第２の外周円弧面４の両端点ｅ１、ｅ２を結ぶ弦εは、弦間隔ＳＧを隔てて平行に配置される。第１及び第２の外周平面は、第１及び第２の外周円弧面の弦に交差して、第１及び第２の外周円弧面の弦の間に形成される。【選択図】図２
0003229674.tif 000002
【実用新案登録請求の範囲】
【請求項１】
透光性を有して、筒状体に形成され、
筒中心線を中心とする半径Ｒの第１の外周円弧面と、
前記筒中心線を中心とする前記半径Ｒの第２の外周円弧面と、
第１の外周平面と、
第２の外周平面と、 
を備え、
前記第１の外周円弧面の両端点を結ぶ弦、及び前記第２の外周円弧面の両端点を結ぶ弦は、
弦間隔を隔てて平行に配置され、
前記第１の外周平面、及び前記第２の外周平面は、
前記第１の外周円弧面の弦、及び前記第２の外周円弧面の弦に交差して、前記第１の外周円弧面の弦及び前記第２の外周円弧面の弦の間に形成される
ことを特徴とするパイプ材。
【請求項２】
筒状体に形成され、
筒中心線を中心とする半径Ｒの第１の外周円弧面と、
前記筒中心線を中心とする前記半径Ｒの第２の外周円弧面と、
第１の外周平面と、
第２の外周平面と、
を備え、
前記第１の外周円弧面の両端点を結ぶ弦、及び前記第２の外周円弧面の両端点を結ぶ弦は、
弦間隔を隔てて平行に配置され、
前記第１の外周平面、及び前記第２の外周平面は、
前記第１の外周円弧面の弦、及び前記第２の外周円弧面の弦に交差して、前記第１の外周円弧面の弦及び前記第２の外周円弧面の弦の間に形成される
ことを特徴とするパイプ材。
【請求項３】
筒状体に形成され、
筒中心線を中心とする半径Ｒ、及び前記筒中心線を中心とする１８０°未満の中心角の第１の外周円弧面と、
前記筒中心線を中心とする、前記第１の外周円弧面と同一半径Ｒ、及び前記筒中心線を中心とする、前記第１の外周円弧面と同一中心角の第２の外周円弧面と、
第１の外周平面と、
第２の外周平面と、
を備え、
前記第１の外周円弧面の両端点を結ぶ弦、及び前記第２の外周円弧面の両端点を結ぶ弦は、
前記筒中心線に直交する基準直線と平行に配置され、
前記第１の外周平面、及び前記第２の外周平面は、
前記基準直線に交差して配置され、
前記第１の外周円弧面の弦、及び前記第２の外周円弧面の弦の間に形成される
ことを特徴とするパイプ材。
【請求項４】
前記第１の外周平面、及び前記第２の外周平面は、
前記基準直線に直交して配置され、
前記第１の外周円弧面の弦、及び前記第２の外周円弧面の弦の間に形成される
ことを特徴とする請求項３に記載のパイプ材。
【請求項５】
第１の外周交差面と、
第２の外周交差面と、
第３の外周交差面と、
第４の外周交差面と、
を備え、
前記第１の外周平面は、
前記第１の外周円弧面の一方の端点に面間隔を隔てて、前記第１の外周円弧面の弦及び前記第２の外周円弧面の弦に直交して配置され、
前記第１の外周円弧面の弦、及び前記第２の外周円弧面の弦の間に形成され、
前記第２の外周平面は、
前記第１の外周円弧面の他方の端点に前記面間隔を隔てて、前記第１の外周円弧面の弦及び前記第２の外周円弧面の弦に直交して配置され、
前記第１の外周円弧面の弦、及び前記第２の外周円弧面の弦の間に形成され、
前記第１の外周交差面は、
前記第１の外周円弧面の弦及び前記第１の外周平面の直交する第１の交差点と、前記第１の外周円弧面の一方の端点との間に形成され、
前記第２の外周交差面は、
前記第１の外周円弧面の弦及び前記第２の外周平面の直交する第２の交差点と、前記第１の外周円弧面の他方の端点との間に形成され、
前記第３の外周交差面は、
前記第２の外周円弧面の弦及び前記第１の外周平面の直交する第３の交差点と、前記第２の外周円弧面の一方の端点との間に形成され、
前記第４の外周交差面は、
前記第２の外周円弧面の弦及び前記第２の外周平面の直交する第４の交差点と、前記第２の外周円弧面の他方の端点との間に形成される
ことを特徴とする請求項３に記載のパイプ材。
【請求項６】
前記第１の外周平面は、
前記基準直線に直交して配置され、
前記第１の外周円弧面の一方の端点、及び前記第２の外周円弧面の一方の端点の間に形成され、
前記第２の外周平面は、
前記基準直線に直交して配置され、
前記第１の外周円弧面の他方の端点、及び前記第２の外周円弧面の他方の端点の間に形成される
ことを特徴とする請求項３に記載のパイプ材。
【請求項７】
透光性を有して、筒状体に形成される
ことを特徴とする請求項３乃至請６の何れかに記載のパイプ材。
【請求項８】
透光性を有して、円筒状体に形成される
ことを特徴とするパイプ材。
【考案の詳細な説明】
【技術分野】
【０００１】
本考案は、立入禁止区域、工事現場、道路、崖等の場所を仕切って、車両や人の侵入、通行を禁止するバリケード、フェンス、防護柵等に配置されて、車両の乗車員、通行人に注意喚起を促すために用いられるパイプ材に関する。
【背景技術】
【０００２】
パイプ材を用いたバリケードの技術として、特許文献１はバリケードを開示する。バリケードは、一対のスタンド、２本の単管パイプ材を備える。各バリードは、上下方向の上側及び下側の夫々に固定される一対の保持部を有する。各単管パイプ材は、炭素鋼鋼管で円筒状に形成される。各単管パイプ材は、各スタンドの間に架設されて、各スタンドの各保持部に挿入することで、各スタンドに固定される。
【先行技術文献】
【特許文献】
【０００３】
【特許文献１】特開２０１６−１５３５５３号公報
【考案の概要】
【考案が解決しようとする課題】
【０００４】
特許文献１のバリケードは、立入禁止区域、工事現場、道路等の場所を仕切って、車両や人の侵入、通行を禁止できるものの、単管パイプ材は、炭素鋼鋼管で円筒状に形成されているので、各単管パイプ材を用いて車両の乗車員や通行人に注意喚起を促すことができない。
【課題を解決するための手段】
【０００５】
本考案に係る請求項１は、透光性を有して、筒状体に形成され、筒中心線を中心とする半径Ｒの第１の外周円弧面と、前記筒中心線を中心とする前記半径Ｒの第２の外周円弧面と、第１の外周平面と、第２の外周平面と、を備え、前記第１の外周円弧面の両端点を結ぶ弦、及び前記第２の外周円弧面の両端点を結ぶ弦は、弦間隔を隔てて平行に配置され、前記第１の外周平面、及び前記第２の外周平面は、前記第１の外周円弧面の弦、及び前記第２の外周円弧面の弦に交差して、前記第１の外周円弧面の弦及び前記第２の外周円弧面の弦の間に形成されることを特徴とするパイプ材である。
【０００６】
本考案に係る請求項２は、筒状体に形成され、筒中心線を中心とする半径Ｒの第１の外周円弧面と、前記筒中心線を中心とする前記半径Ｒの第２の外周円弧面と、第１の外周平面と、第２の外周平面と、を備え、前記第１の外周円弧面の両端点を結ぶ弦、及び前記第２の外周円弧面の両端点を結ぶ弦は、弦間隔を隔てて平行に配置され、前記第１の外周平面、及び前記第２の外周平面は、前記第１の外周円弧面の弦、及び前記第２の外周円弧面の弦に交差して、前記第１の外周円弧面の弦及び前記第２の外周円弧面の弦の間に形成されることを特徴とするパイプ材である。
【０００７】
本考案に係る請求項３は、筒状体に形成され、筒中心線を中心とする半径Ｒ、及び前記筒中心線を中心とする１８０°未満の中心角の第１の外周円弧面と、前記筒中心線を中心とする、前記第１の外周円弧面と同一半径Ｒ、及び前記筒中心線を中心とする、前記第１の外周円弧面と同一中心角の第２の外周円弧面と、第１の外周平面と、第２の外周平面と、を備え、前記第１の外周円弧面の両端点を結ぶ弦、及び前記第２の外周円弧面の両端点を結ぶ弦は、前記筒中心線に直交する基準直線と平行に配置され、前記第１の外周平面、及び前記第２の外周平面は、前記基準直線に交差して配置され、前記第１の外周円弧面の弦、及び前記第２の外周円弧面の弦の間に形成されることを特徴とするパイプ材である。
【０００８】
本考案に係る請求項４は、前記第１の外周平面、及び前記第２の外周平面は、前記基準直線に直交して配置され、前記第１の外周円弧面の弦、及び前記第２の外周円弧面の弦の間に形成されることを特徴とする請求項３に記載のパイプ材である。
【０００９】
本考案に係る請求項５は、第１の外周交差面と、第２の外周交差面と、第３の外周交差面と、第４の外周交差面と、を備え、前記第１の外周平面は、前記第１の外周円弧面の一方の端点に面間隔を隔てて、前記第１の外周円弧面の弦及び前記第２の外周円弧面の弦に直交して配置され、前記第１の外周円弧面の弦、及び前記第２の外周円弧面の弦の間に形成され、前記第２の外周平面は、前記第１の外周円弧面の他方の端点に前記面間隔を隔てて、前記第１の外周円弧面の弦及び前記第２の外周円弧面の弦に直交して配置され、前記第１の外周円弧面の弦、及び前記第２の外周円弧面の弦の間に形成され、前記第１の外周交差面は、前記第１の外周円弧面の弦及び前記第１の外周平面の直交する第１の交差点と、前記第１の外周円弧面の一方の端点との間に形成され、前記第２の外周交差面は、前記第１の外周円弧面の弦及び前記第２の外周平面の直交する第２の交差点と、前記第１の画周円弧面の他方の端点との間に形成され、前記第３の外周交差面は、前記第２の外周円弧面の弦及び前記第１の外周平面の直交する第３の交差点と、前記第２の外周円弧面の一方の端点との間に形成され、前記第４の外周交差面は、前記第２外周円弧面の弦及び前記第２の外周平面の直交する第４の交差点と、前記第２の外周円弧面の他方の端点との間に形成されることを特徴とする請求項３に記載のパイプ材である。
【００１０】
本考案に係る請求項６は、前記第１の外周平面は、前記基準直線に直交して配置され、前記第１の外周円弧面の一方の端点、及び前記第２外周円弧面の一方の端点の間に形成され、前記第２の外周平面は、前記基準直線に直交して配置され、前記第１の外周円弧面の他方の端点、及び前記第２の外周円弧面の他方の端点の間に形成されることを特徴とする請求項３に記載のパイプ材である。
【００１１】
本考案に係る請求項７は、透光性を有して、筒状体に形成されることを特徴とする請求項３乃至６の何れかに記載のパイプ材である。
【００１２】
本考案に係る請求項８は、透光性を有して、円筒状体に形成されることを特徴とするパイプ材である。
【考案の効果】
【００１３】
本考案によれば、パイプ材は、立入禁止区域、工事現場、道路、崖等の場所を仕切って、車両や人の侵入、通行を禁止するバリケード、フェンス、防護柵等に設置できる。パイプ材をバリケード、フェンス、防護柵等に設置した状態において、パイプ材の内部に、複数の発光ダイオード等の発光体を挿入する。パイプ材は、透光性を有しているので、パイプ材内に挿入した各発光ダイオード等の発光体を発光すると、各発光体の一部の光がパイ材を透過する。
これにより、パイプ材を透過する光によって、車両の乗車員や通行人に注意喚起を促すことができる。
本考案によれば、パイプ材をバリケード、フェンス、防護柵等に設置した状態で、パイプ材の第１及び第２の外周平面に反射板、反射テープ等の反射体を固定する。
これにより、パイプ材の第１及び第２の外周平面に固定した反射体によって、車両の乗車員や通行人に注意喚起を促すことができる。
【図面の簡単な説明】
【００１４】
【図１】パイプ材を示す斜視図である。
【図２】パイプ材のパイプ端面（筒中心線と直交する断面）を示す図であって、（ａ）は、第１及び第２の外周円弧面の円弧状（円弧形状）を示す図、（ｂ）は、第１及び第２の外周円弧面の配置関係を示す図である。
【図３】図２（ｂ）の一部拡大図であって、（ａ）は、第１の外周円弧面、第１及び第２の外周平面の配置関係を示す図、（ｂ）は、第２の外周円弧面、第１及び第２の外周平面の配置関係を示す図である。
【図４】パイプ材のパイプ端面（筒中心線と直交する断面）を示す図であって、第１及び第２の内周円弧面、第１及び第２の内周平面の配置関係を示す図である。
【図５】パイプ材の正面図である。
【図６】図２（ａ）のＡ−Ａ断面図である。
【図７】他のパイプ材であって、パイプ端面（筒中心線と直交する断面）を示す図である。
【図８】パイプ材を用いたバリケードを示す斜視図である。
【図９】図８のＢ部分拡大図である。
【図１０】パイプ材を用いたバリケードであって、各パイプ材内に複数の発光体（複数の発光ダイオードを内装した発光チューブ）を挿入した斜視図である。
【図１１】図１０の断面拡大図である。
【図１２】パイプ材を用いたバリケードであって、各パイプ材の第１及び第２の外周平面に反射体（反射板、反射テープ等）を取り付けた斜視図である。
【図１３】パイプ材の第１及び第２の外周平面に、反射体（反射板、反射テープ）を取り付けた斜視図である。
【図１４】他のパイプ材において、第１及び第２の外周平面に、反射体（反射板、反射テープ）を取り付けた斜視図である。
【考案を実施するための形態】
【００１５】
本考案に係るパイプ材について、図面を参照して説明する。
【００１６】
本考案に係るパイプ材Ｘ（以下、「パイプ材Ｘ」）は、立入禁止区域、工事現場、道路、崖等の場所を仕切って、人や車両の通行、侵入を禁止するバリケード（図８乃至図１４参照）、フェンス、防護柵等に設置される。パイプ材Ｘは、バリケード、フェンス、防護柵等に配置（設置）されて、車両の乗車員及び通行人に注意喚起を促すために用いられる。
【００１７】
パイプ材Ｘは、図１乃至図６に示すように、透光性を有して、管長さＬの長尺の筒状体に形成される。
【００１８】
パイプ材Ｘは、図１乃至図６に示すように、筒中心線ａに直交する端面又は断面（筒中心線ａから見た端面又は断面）において、パイプ外周面１、及びパイプ内周面２を備える。
【００１９】
パイプ材Ｘにおいて、パイプ外周面１は、図１乃至図６に示すように、第１の外周円弧面３、第２の外周円弧面４、第１の外周平面５、第２の外周平面６、及び第１乃至第４の外周交差面７〜１０を備える。
【００２０】
第１の外周円弧面３は、図２（ａ）に示すように、筒中心線ａに直交する端面又は断面（以下、「直交端面」という）において、筒中心線ａを中心とする半径Ｒ（外周半径）の第１の円弧状（第１の円弧形状）に形成される。
第１の外周円弧面３は、例えば、図２（ａ）に示すように、直交端面において、筒中心線ａを中心とする１８０°未満の中心角α（円弧角度）の第１の円弧状に形成される。
第１の外周円弧面３の中心角αは、図２（ａ）に示すように、１８０°未満及び０°を超える任意の角度であって、例えば、中心角α：１２０°である。
【００２１】
第２の外周円弧面４は、図２（ａ）に示すように、直交端面において、筒中心線ａを中心とする、第１の外周円弧面３と同一半径Ｒの第２の円弧状（第２の円弧形状）に形成される。
第２の外周円弧面４は、直交端面において、筒中心線ａを中心とする中心角β（円弧角度）の第２の円弧状に形成される。
第２の外周円弧面４の中心角βは、例えば、第１の外周円弧面３と同一中心角α（α＝β）である。第２の外周円弧面４の中心角βは、１８０°未満及び０°を超える任意の角度であって、例えば、中心角β：１２０°である。
【００２２】
第１の外周円弧面３の両端点ｄ１，ｄ２（第１の円弧状の各端点ｄ１，ｄ２）を結ぶ弦γ（第１の弦γ）、及び第２の外周円弧面４の両端点ｅ１，ｅ２（第２の円弧状の各端点ｅ１，ｅ２）を結ぶ弦ε（第２の弦）は、図２（ｂ）に示すように、直交端面において、弦間隔ＳＧを隔てて平行に配置される。
第１の外周円弧面３の両端点ｄ１，ｄ２を結ぶ弦γ（以下、「第１の外周円弧面３の弦γ」という）、及び第２の外周円弧面４の両端点ｅ１，ｅ２を結ぶ弦ε（以下、「第２の外周円弧面４の弦ε」という）は、図２（ｂ）に示すように、直交端面において、筒中心線ａに直交する基準直線ｂに平行に配置される。
第１の外周円弧面３の弦γ、及び第２の外周円弧面４の弦εは、基準直線ｂの間に弦中心間間隔ｓｇを隔てて、基準直線ｂと平行に配置される。
第１の外周円弧面３、及び第２の外周円弧面４は、図２（ｂ）に示すように、例えば、基準直線ｂを中心として線対称に配置される。
第１及び第２の外周円弧面３，４は、図１及び図５に示すように、筒中心線ａの方向に延在される。
【００２３】
第１の外周平面５、及び第２の外周平面６は、図２（ｂ）及び図３に示すように、直交端面において、第１の外周円弧面３の弦γ、及び第２の外周円弧面４の弦εに交差（又は直交）して、第１の外周円弧面３の弦γ、及び第２の外周円弧面４の弦εの間に形成（配置）される。
第１の外周平面５、及び第２の外周平面６は、図２（ｂ）及び図３に示すように、直交端面において、基準直線ｂに交差（又は直交）して、第１の外周円弧面３の弦γ及び第２の外周円弧面４の弦εの間に形成される。
第１及び第２の外周平面５，６は、図１及び図５に示すように、筒中心線ａの方向に延在される。
【００２４】
第１の外周平面５は、図３に示すように、直交端面において、基準直線ｂの延びる方向（又は各弦γ，εの延びる方向）において、第１の外周円弧面３の一方の端点ｄ１に面間隔ＦＧを隔てて、第１の外周円弧面３の弦γ及び第２の外周円弧面４の弦εに直交（又は交差）して配置される。
【００２５】
第２の外周平面６は、図３に示すように、直交端面において、基準直線ｂの延びる方向（又は各弦γ，εの延びる方向）において、第１の外周円弧面３の他方の端点ｄ２に面間隔ＦＧを隔てて、第１の外周円弧面３の弦γ及び第２の外周円弧面の弦εに直交（又は交差）して配置される。
【００２６】
第１の外周交差面７（外周交差平面）は、図２（ｂ）及び図３（ａ）に示すように、第１の外周円弧面３の弦γ及び第１の外周平面５の直交（又は交差）する第１の交差点Ｃ１と、第１の外周円弧面３の一方の端点ｄ１との間に形成される。
第１の外周交差面７は、例えば、第１の外周円弧面３の弦γに沿って、第１の外周円弧面３の一方の端点ｄ１及び第１の交差点Ｃ１の間に延在される。第１の外周交差面７は、第１の外周円弧面３に交差し、及び第１の外周平面５に直交（又は交差）して、第１の外周円弧面３及び第１の外周平面５に連続して形成される。
第１の外周交差面７は、図１及び図５に示すように、筒中心線ａの方向に延在される。
【００２７】
第２の外周交差面８（外周交差平面）は、図２（ｂ）及び図３（ａ）に示すように、直交端面において、第１の外周円弧面３の弦γ及び第２の外周平面６の直交（又は交差）する第２の交差点Ｃ２と、第１の外周円弧面３の他方の端点ｄ２の間に形成される。
第２の外周交差面８は、例えば、第１の外周円弧面３の弦γに沿って、第１の外周円弧面の他方の端点ｄ２及び第２の交差点Ｃ２の間に延在される。第１の外周交差面７は、第１の外周円弧面３に交差し、及び２の外周平面６に直交（又は交差）して、第１の外周円弧面３及び第２の外周平面６に連続して形成される。
第２の外周交差面８は、図１及び図５に示すように、筒中心線ａの方向に延在される。
【００２８】
第３の外周交差面９（外周交差平面）は、図２（ｂ）及び図３（ｂ）に示すように、直交端面において、第２の外周円弧面４の弦ε及び第１の外周平面５の直交（又は交差）する第３の交差点Ｃ３と、第２の外周円弧面４の一方の端点ｅ１の間に配置される。
第３の外周交差面９は、例えば、第２の外周円弧面４の弦εに沿って、第２の外周円弧面４の一方の端点ｅ１及び第３の交差点Ｃ３の間に延在される。第３の外周交差面９は、第２の外周円弧面４に交差し、及び第１の外周平面５に直交（又は交差）して、第２の外周円弧面４及び第１の外周平面５に連続して形成される。
第３の外周交差面９は、図１及び図５に示すように、筒中心線ａの方向に延在される。
【００２９】
第４の外周交差面１０（外周交差平面）は、図２（ｂ）及び図３（ｂ）に示すように、直交端面において、第２の外周円弧面４の弦ε及び第２の外周平面６の直交（又は交差）する第４の交差点Ｃ４と、第２の外周円弧面４の他方の端点ｅ２との間に形成される。
第４の外周交差面１０は、例えば、第２の外周円弧面４の弦εに沿って、第２の外周円弧面４の他方の端点ｅ２及び第４の交差点Ｃ４の間に延在される。第４の外周交差面１０は、第２の外周円弧面４に交差し、及び第２の外周平面６に直交（又は交差）して、第２の外周円弧面４及び第２の外周平面６に連続して形成される。
第４の外周交差面１０は、図１及び図５に示すように、筒中心線ａの方向に延在される。
【００３０】
パイプ材Ｘにおいて、パイプ内周面２は、図１乃至図４に示すように、直交端面において、第１の内周円弧面２３、第２の内周円弧面２４、第１の内周平面２５及び第２の内周平面２６を備える。
【００３１】
第１の内周円弧面２３は、図２乃至図４に示すように、直交端面において、筒中心線ａを中心とする半径ｒ（円弧半径）の円弧状（円弧形状）に形成される。第１の内周円弧面２３の半径ｒは、第１の外周円弧面３の半径Ｒより小さい半径（ｒ＜Ｒ）である。
第１の内周円弧面２３は、図１及び図６に示すように、筒中心線ａの方向に延在される。
【００３２】
第２の内周円弧面２４は、図２乃至図４に示すように、直交端面において、筒中心線ａを中心とする、第１の内周円弧面２３と同一半径ｒの円弧状（円弧形状）に形成される。
第２の内周円弧面２４は、図１及び図６に示すように、筒中心線ａの方向に延在される。
【００３３】
第１の内周円弧面２３、及び第２の内周円弧面２４は、図２及び図４に示すように、直交端面において、基準直線ｂを中心として線対象に配置される。
これにより、第１の内周円弧面２３は、図４に示すように、第１の外周円弧面３に管間隔Ｔａ（管厚さ）を隔てて、第１の外周円弧面３に沿って延在される。
第２の内周円弧面２４は、図４に示すように、第２の外周円弧面４に管間隔Ｔａ（管厚さ）を隔てて、第２の外周円弧面４に沿って延在される。
【００３４】
第１の内周平面２５は、図４に示すように、直交端面において、第１の外周平面５に管間隔Ｔａ（管厚さ）を隔てて、第１の外周平面５と平行に配置される。第１の内周平面２５は、筒中心線ａ及び基準直線ｂと直交する方向に延在されて、第１及び第２の外周円弧面３，４の一方の端点ｄ１，ｅ１側にて第１及び第２の内周円弧面２３，２４に交差する。
これにより、第１の内周平面２５は、第１及び第２の内周円弧面２３，２４に連続して形成される。
第１の内周平面２５は、図１及び図６に示すように、筒中心線ａの方向に延在される。
【００３５】
第２の内周平面２６は、図４に示すように、直交端面において、第２の外周平面６に管間隔Ｔａ（管厚さ）を隔てて、第２の外周平面６と平行に配置される。第２の内周平面２６は、筒中心線ａ及び基準直線ｂと直交する方向に延在されて、第１及び第２の外周円弧面３，４の他方の端点ｄ２，ｅ２側にて第１及び第２の内周円弧面２３，２４に交差する。
これにより、第２の内周平面２６は、第１の内周平面２５に間隔を隔てて平行に配置されて、第１及び第２の内周円弧面２３，２４に連続して形成される。
第２の内周平面２６は、図１に示すように、筒中心線ａの方向に延在される。
【００３６】
パイプ材Ｘは、例えば、繊維強化プラスチックで筒状体に形成される。パイプ材Ｘは、ガラス繊維強化プラスチック等の繊維強化プラスチックにて形成することで、透光性を有し、例えば、半透明にされる。
【００３７】
パイプ材Ｘにおいて、第１の外周円弧面３の中心角α、及び第２の外周円弧面４の中心角βは、異なる角度であっても良い。
第１の外周円弧面３の中心角α、及び第２の外周円弧面４の中心角βは、一方の中心角α（第１の外周円弧面３）を１８０°を超える角度、他方の中心角β（第２の外周円弧面４）を１８０°未満及び０°を超える角度にしても良く、各中心角α，βを加算（α＋β）した合計角は、第１及び第２の外周平面５，６を形成するために、３６０°未満の角度にする（α＋β＜３６０°）。
【００３８】
パイプ材Ｘでは、図７に示すように、第１の外周平面５を、第１及び第２の外周円弧面３，４の一方の端点ｄ１，ｅ１の間に形成し、及び第２の外周円弧面４を、第１及び第２の外周円弧面３，４の他方の端点ｄ２，ｅ２の間に形成しても良い。
第１の外周平面５は、図７に示すように、基準直線ｂに直交して配置されて、第１の外周円弧面３の一方の端点ｄ１、及び第２の外周円弧面４の一方の端点ｅ1の間に形成される。第１の外周平面５は、図７に示すように、各端点ｄ１，ｅ１にて第１及び第２の外周円弧面３，４に連続して形成される。
第２の外周平面６は、図７に示すように、基準直線ｂに直交して配置されて、第１の外周円弧面３の他方の端点ｄ２、及び第２の外周円弧面４の他方の端点ｅ２の間に形成される。第２の外周平面６は、図７に示すように、各端点ｄ２，ｅ２にて第１及び第２の外周円弧面３，４に連続して形成される。
【００３９】
パイプ材Ｘでは、第１及び第２の外周平面５，６は、第１の外周円弧面３の弦γ、第２の外周円弧面４の弦ε（基準直線ｂ）に直交して配置する他に、例えば、第２の外周円弧面４の弦ε）に対して、角度（９０°未満及び０°を超える角度）を有して傾斜して、第１及び第２の外周円弧面３，４の各弦γ，εに交差して配置しても良い。
【００４０】
図８乃至図１４において、パイプ材Ｘは、例えば、バリケードＹに用いられる。バリケードＸは、図８に示すように、立入禁止区域、工事現場、道路等の場所を仕切って、人や車両の通行、侵入を禁止する。
【００４１】
バリケードＹは、図８乃至図１４に示すように、例えば、一対（複数）のバリケード脚５１，５２、及び２本のパイプ材Ｘ（単管パイプ材）を備え、各パイル材Ｘは、管長さＬを有する。
【００４２】
バリケードＸにおいて、各バリケード脚５１，５２は、図８乃至図１２に示すように、一対（複数）のクランプ５５，５６を有する。各クランプ５５，５６は、上下方向ＵＤにおいて、各バリケード脚５１，５２の上側及び下側に取り付けられる。
各バリケード脚５１，５２は、図８、図１０、図１１及び図１２に示すように、上下方向ＵＤと直交する前後方向ＦＲに脚間隔を隔てて並列されて、立入禁止区域、工事現場、道路等の地面ＧＲに立設される。
【００４３】
バリケードＸにおいて、各パイプ材Ｘ（単管パイプ材）は、図８乃至図１２に示すように、各バリケード脚５１，５２の各クランプ５５，５５の間、及び各バリケード脚５１，５２の各クランプ５６，５６の間に配置（架設）される。
各パイプ材Ｘ（単管パイプ材）は、図８乃至図１２に示すように、第１及び第２の外周円弧面３，４を上下方向ＵＤに向けて配置される。
これにより、各パイプ材Ｘは、第１及び第２の外周平面５，６を、上下方向ＵＤ及び前後方向ＦＲと直交する左右方向ＬＦに向けて配置される。
【００４４】
各パイプ材Ｘは、図８乃至図１２に示すように、各クランプ５５，５６にて把持されて、各バリケード脚５１，５２に固定される。各クランプ５５，５６は、第１及び第２の外周円弧面３，４に当接して、各パイプ材Ｘを把持する。
【００４５】
バリケードＸにおいて、各パイプ材Ｘ（単管パイプ材）は、図１０及び図１１に示すように、複数の発光体６１（例えば、発光ダイオード）を内装する発光チューブ６２を備える。各発光チューブ６２は、図１０及び図１１に示すように、一方のパイプ端から各パイプ材Ｘ内に挿入される。各発光チューブ６２は、各パイプ材Ｘの管長さＬに渡って、各パイプ材Ｘ内（パイプ内周面２）内に配置されて、各パイプ材Ｘの他方のパイプ端（管端）から引出される。各発光チューブ６２は、電源（図示しない）に接続される。
各パイプ材Ｘ内に挿入（配置）した各発光チューブ６２の各発光体６１（発光ダイオード）を発光すると、各パイプ材Ｘ内において、各発光体６１の光（一部の光）は、透光性（例えば、半透明）を有する各パイプ材Ｘ（パイプ材Ｘの繊維強化プラスチック）を透過（透光）する。
バリケードＹにおいて、各パイプ材Ｘは、図１０及び図１１に示すように、パイプ材Ｘを透過する各発光体６１（発光ダイオード）によって、車両の乗車員や通行人に注記喚起を促す。
【００４６】
バリケードＹにおいて、各パイプ材Ｘは、図１２及び図１３に示すように、複数（一対）の反射体６５，６６を備える。
各反射体６５，６６は、例えば、反射板、反射テープ等でなる。各反射体６５，６６は、図１２及び図１３に示すように、パイプ材Ｘの弦間隔ＳＧより僅かに狭い板幅ＢＴを有する矩形状に形成される。反射体６５は、図１３に示すように、板裏面６５Ｂを第１の外周平面５に当接し、及び板幅ＢＴを、第１の外周交差面７、及び第３の外周交差面９の間に配置される。反射体６５は、板幅ＢＴの各板端を第１及び第３の外周交差面７，９の夫々に当接して配置される。
反射体６６は、図１２及び図１３に示すように、板裏面６６Ｂを第２の外周平面６に当接し、及び板幅ＢＴを、第２の外周交差面８及び第４の外周交差面１０の間に配置される。反射体６６は、板幅ＢＴの各板端を第２及び第４の外周交差面８，１０に当接して配置される。
各反射体６５，６６は、図１２及び図１３に示すように、パイプ材Ｘの管長さＬに渡って延在される。
各反射体６５，６６は、板裏面６５Ｂ，６６Ｂを接着剤等によって第１及び第２の外周平面５，６の夫々に取り付けて、パイプ材Ｘに固定される。
バリケードＹにおいて、各パイプ材Ｘは、図１２及び図１３に示すように、第１及び第２の外周平面５，６に固定された各反射体６５，６６によって、車両の乗車員や通行人に注記喚起を促す。
【００４７】
バリケードＹでは、図７で説明した各パイプ材Ｘを用いることができる。バリケードＹの各パイプ材Ｘにおいて、反射体６５は、図１４に示すように、第１及び第２の外周円弧面３，４の一方の端点ｄ１，ｅ１の間に配置して、接着剤等によって第１の外周平面５に取り付け、反射体６６は、図１４に示すうように、第１及び第２の外周円弧面３，４の他方の端点ｄ２，ｅ２の間に配置して、接着剤等によって第２の外周平面６に取り付けても良い。図７で説明したパイプ材Ｘにおいても、パイプ材Ｘの内部に複数の発光体（発光チューブ）を挿入しても良い。
【００４８】
パイプ材Ｘは、図１乃至図７で説明した形状の他に、透光性を有して、円筒状体（円筒体）に形成しても良い。円筒状体のパイプ材Ｘにおいても、パイプ材Ｘの内部に、複数の発光ダイオード等の発光体（発光チューブ）を挿入する。円筒状体のパイプ材Ｘは、透光性を有しているので、円筒状体のパイプ材Ｘ内に挿入した各発光ダイオード等の発光体を発光すると、各発光体の一部の光が円筒状体のパイプ材Ｘを透過する。
これにより、円筒状体のパイプ材Ｘを透過する光によって、車両の乗車員や通行人に注意喚起を促すことができる。
【００４９】
バリケードＹにおいて、各パイプ材Ｘは、発光チューブ６２、及び各反射体６５，６６の両方を備えても良い。バリケードＹにおいて、発光チューブ６２は、図１０及び図１１で説明したと同様に、各パイプ材Ｘ（単管パイプ材）内に挿入され、及び各反射体６５，６６は、図１２乃至図１４で説明したと同様に、各パイプ材Ｘの第１及び第２の外周平面５，６に取り付ける。
これにより、バリケードＹにおいて、パイプ材Ｘを透過する各発光体６１の光、及び各反射体６５，６６によって、車両の乗車員、及び通行者に注記喚起を促す。各パイプ材Ｘ内に発光する複数の発光体（発光ダイオード）の光（一部の光）は、パイプ材Ｘの第１及び第２の外周円弧面３，４を透過する（図１２及び図１３参照）。
【００５０】
各パイプ材Ｘ内には、複数の発光体を内装した発光チューブを挿入することに限定されず、ランプ等の複数の発光体を挿入すれば良い。
【００５１】
パイプ材Ｘは、バリケードＹに設置（配置）する場合に限定されず、立入禁止区域、工事現場、道路、崖等の場所を仕切って、人や車両の通行、侵入を禁止するフェンス、防護柵等に用いても良く、図８乃至図１４で示したと同様、透光性を有するパイプ材内に発光チューブを挿入し、パイプ材の第１及び第２の外周平面に反射体を固定することで、パイプ材を透過する光、及び反射体によって、車両の乗車員、通行人に注意喚起を促すことができる。
【産業上の利用可能性】
【００５２】
本考案は、立入禁止区域、工事現場、道路、崖等の場所を仕切って、人や車両の通行、侵入を禁止するバリケード、フェンス、防護柵等に設置されて、車両の乗車者、通行人に注意喚起を促すために用いられる。
【符号の説明】
【００５３】
Ｘ  パイプ材
１  パイプ外周面
２  パイプ内周面
３  第１の外周円弧面（第１の円弧状の外周面）
４  第２の外周円弧面（第２の円弧状の外周面）
５  第１の外周平面
６  第２の外周平面
７  第１の外周交差面
８  第２の外周交差面
９  第３の外周交差面
１０  第４の外周交差面
ａ  筒中心線
ｂ  基準直線
Ｒ  半径（第１及び第２の外周円弧面）
α  中心角（第１の外周円弧面）
β  中心角（第２の外周円弧面）
γ  弦（第１の外周円弧面）
ε  弦（第２の外周円弧面）
【図１】
0003229674.tif 000003
【図２】
0003229674.tif 000004
【図３】
0003229674.tif 000005
【図４】
0003229674.tif 000006
【図５】
0003229674.tif 000007
【図６】
0003229674.tif 000008
【図７】
0003229674.tif 000009
【図８】
0003229674.tif 000010
【図９】
0003229674.tif 000011
【図１０】
0003229674.tif 000012
【図１１】
0003229674.tif 000013
【図１２】
0003229674.tif 000014
【図１３】
0003229674.tif 000015
【図１４】
0003229674.tif 000016